(57)【要約】【課題】スキンケア製品を含む化粧製品（Ｐ）を、特にケラチン繊維に塗布するのに有効なプロセスを提供すること。【解決手段】製品は繊維のような細長の粒子（Ｆ）を含み、且つ包装器具に収納される。プロセスは次の段階、すなわち、  −包装器具をマイクロ波オーブンの中に配置する段階と、  −製品の温度を、製品をオーブン内部のマイクロ波照射に晒すことにより高くする段階と、  −製品をアプリケーターを使用して塗布する段階と、を含む。  本発明はまた、マイクロ波オーブンの中で加熱することができるこのような化粧製品を包装する包装器具を提供する。【選択図】図２
2005319300.tif 000002
【特許請求の範囲】
【請求項１】
スキンケア製品を含む化粧製品（Ｐ）を、特にケラチン繊維の上に塗布するプロセスであって、この製品は繊維のような細長の粒子（Ｆ）を含み、且つ包装器具に収納されており、
−包装器具をマイクロ波オーブンの中に配置するステップ、
−製品をオーブン内部のマイクロ波照射に晒すことにより製品の温度を高くするステップ、及び
−アプリケーターを使用して製品を塗布するステップ
を含むプロセス。
【請求項２】
包装器具はアプリケーター及び製品を保持する容器を含み、製品をマイクロ波照射に晒す前にアプリケーターを容器から取り出すことを特徴とする、請求項１記載のプロセス。
【請求項３】
製品の温度を上昇させるとき、アプリケーターはオーブンから取り出すことを特徴とする、請求項１又は２に記載のプロセス。
【請求項４】
アプリケーターをオーブンの中に配置し、マイクロ波照射に晒すことにより、アプリケーターの塗布面の温度を高くすることを特徴とする、請求項１ないし３のいずれか一項に記載のプロセス。
【請求項５】
製品が、加熱された後に熱い状態で、又は加熱せずに室温で塗布することができる特性を有することを特徴とする、請求項１ないし４のいずれか一項に記載のプロセス。
【請求項６】
製品をマイクロ波オーブンの中で加熱することにより製品の温度を３０℃〜８０℃にすることを特徴とする、請求項１ないし５のいずれか一項に記載のプロセス。
【請求項７】
製品をマイクロ波照射に晒す時間は１〜６０秒、好ましくは２〜５０秒、又は３〜２５秒であることを特徴とする、請求項１ないし６のいずれか一項に記載のプロセス。
【請求項８】
加熱位置に器具を横倒しに配置し、器具を配置する表面からの製品の高さは、器具が使用中にこの表面上に配置すときの高さよりも低いことを特徴とする、請求項１ないし７のいずれか一項に記載のプロセス。
【請求項９】
マイクロ波オーブンの中で加熱することができる包装器具であって、アプリケーターと、繊維のような細長の粒子（Ｆ）を含む化粧製品（Ｐ）を保持する容器とを含むことを特徴とする包装器具。
【請求項１０】
粒子が、ケラチン繊維を覆う組成物の中に分散していることを特徴とする請求項９に記載の器具。
【請求項１１】
製品の温度に反応する少なくとも一つの表示部（４０；４５；４６；４７；１７０）を含むことを特徴とする、請求項９又は１０に記載の器具。
【請求項１２】
表示部（４０；４７）が製品を保持する容器と一体化していることを特徴とする請求項１１に記載の器具。
【請求項１３】
表示部（４０；１７０）が、少なくとも器具がマイクロ波オーブンの中に配置されるときには、アプリケーターと一体化していることを特徴とする、請求項１１又は１２に記載の器具。
【請求項１４】
表示部（４０；１７０）が、少なくとも器具がマイクロ波オーブンの中に配置されるときには、容器の閉鎖要素と一体化していることを特徴とする、請求項１１なしい１３のいずれか一項に記載の器具。
【請求項１５】
表示部（４０；４５；４６；４７；１７０）の色が、温度の変化と共に、特に遷移温度近傍で変化することを特徴とする、請求項１１ないし１４のいずれか一項に記載の器具。
【請求項１６】
表示部の外観が温度の変化と共に可逆的に変化することを特徴とする、請求項１１ないし１５のいずれか一項に記載の器具。
【請求項１７】
表示部の状態が、製品の、加熱により到達させようとする温度よりも低い温度において変化することを特徴とする、請求項１１ないし１６のいずれか一項に記載の器具。
【請求項１８】
表示部（４０）が、特に糊によって器具に貼り付けられる少なくとも一つの可撓性支持体を含むことを特徴とする、請求項１１ないし１７のいずれか一項に記載の器具。
【請求項１９】
表示部（４６）が、サーモクロミック色素を含有するインクを器具の上に印刷することにより作製されることを特徴とする、請求項１１ないし１８のいずれか一項に記載の器具。
【請求項２０】
表示部が、サーモクロミック色素を、器具の少なくとも一部（４５；４７）の材料に含ませることにより形成されることを特徴とする、請求項１１ないし１９のいずれか一項に記載の器具。
【請求項２１】
容器の厚さが変化し、且つ表示部はこの容器の異なる厚さを有する少なくとも２つの領域を覆うことを特徴とする、請求項１１ないし２０のいずれか一項に記載の器具。
【請求項２２】
２つの表示部を含み、各表示部が異なる遷移温度を有することを特徴とする、請求項９ないし２１のいずれか一項に記載の器具。
【請求項２３】
容器用の閉鎖要素（４２；１６５）を含むことを特徴とする、請求項９ないし２２のいずれか一項に記載の器具。
【請求項２４】
貯蔵部がマイクロ波を透過することを特徴とする、請求項９ないし２３のいずれか一項に記載の器具。
【請求項２５】
器具をマイクロ波オーブンの中に配置すべき位置を通知する基準マーク（１２０）を含むことを特徴とする、請求項９ないし２４のいずれか一項に記載の器具。
【請求項２６】
器具を横倒しにした姿勢で安定に配置することができるように構成される壁、特に少なくとも一つの平坦面となるプリズム状の横断面を有する壁を含むことを特徴とする、請求項９ないし２５のいずれか一項に記載の器具。
【請求項２７】
器具をマイクロ波オーブンの中に配置することができることを通知する注意書き（１２１）を含むことを特徴とする、請求項９ないし２６のいずれか一項に記載の器具。
【請求項２８】
製品の加熱、特に空気の膨張により生じる過度の圧力下において器具を開けたときに製品が放出する危険を小さくするように設計された飛散防止要素を含むことを特徴とする、請求項９ないし２７のいずれか一項に記載の器具。
【請求項２９】
特に容器を誤って引っくり返した場合に製品がこぼれる危険を小さくするように機能する流量低減要素を含むことを特徴とする、請求項９ないし２８のいずれか一項に記載の器具。
【請求項３０】
容器に保持される製品は室温で液体であることを特徴とする、請求項９ないし２９のいずれか一項に記載の器具。
【請求項３１】
金属を含まないことを特徴とする、請求項９ないし３０のいずれか一項に記載の器具。
【請求項３２】
容器が少なくとも部分的に第１材料からなる壁（４１）を含み、且つ熱絶縁体（５０；６０；７０；８０；８５）が容器の外表面を少なくとも部分的に取り囲んでいることを特徴とする、請求項９ないし３１のいずれか一項に記載の器具。
【請求項３３】
熱絶縁体（５０；６０；７０；８０）が第１材料の熱伝導率よりも低い熱伝導率を有する第２材料により作製されることを特徴とする、請求項３２に記載の器具。
【請求項３４】
過度の圧力が容器内に生じると開くように構成された安全弁（１５０；１５４；１７６；１７７）を含むことを特徴とする、請求項９ないし３３のいずれか一項に記載の器具。
【請求項３５】
容器を配置する表面よりも高い位置に容器を配置する機能を備えるスタンドを含むことを特徴とする、請求項９ないし３４のいずれか一項に記載の器具。
【請求項３６】
スタンドが温度表示部を含むことを特徴とする、請求項３５に記載の器具。
【発明の詳細な説明】
【技術分野】
【０００１】
本発明は、メイクアッププロセス及びスキンケア製品を塗布するプロセス、及びこのようなプロセスを実施するために使用する器具に関する。
【背景技術】
【０００２】
化粧製品を、化粧製品の温度を上げた後に使用することが提案されている。従って、特許文献１は、シャンプーをヒトの体温よりも少しだけ高い温度にまで加熱して効用を高めることを提案している。これを行なうために、一定量のシャンプーを加熱部を組み込んだ装置に配置する。特許文献２は、容器と一体化した加熱部を組み込んだマスカラ用の包装兼塗布器具について記載している。
【０００３】
特許文献３は、混合すると発熱反応を起こして化粧組成物の温度を高くすることができる成分を組み込んだ器具について記載している。
特許文献４は、マイクロ波オーブンで濃厚相を予め加熱してから、水を加えてこの濃厚相と混合させることにより前記化粧組成物を形成する化粧組成物の製造方法について記載している。
【特許文献１】仏国特許第２３７６４０１号
【特許文献２】米国特許第５７７５３４４号
【特許文献３】国際公開第００／４３２８６号
【特許文献４】独国特許第４３１２２７８号
【特許文献５】欧州特許出願公開第１１９１３１７号
【特許文献６】米国特許第５７８６５７８号
【発明の開示】
【発明が解決しようとする課題】
【０００４】
本発明の目的は、とりわけ第１の態様によれば、スキンケア製品を含む化粧製品を、特にケラチン繊維に塗布するプロセスを提供することである。この化粧製品は繊維等の細長の粒子を含んでおり、包装器具に収納される。本プロセスは次のステップを含む。
−包装器具をマイクロ波オーブンの中に配置し、
−製品をオーブン内部のマイクロ波照射に晒すことにより製品の温度を上げ、
−アプリケーターを使用して製品を塗布する。
【課題を解決するための手段】
【０００５】
「ケラチン繊維」とは、髪の毛、顔の毛及び体毛、まつ毛及び眉毛等のケラチンを主成分とする繊維の全てを指す。
「細長の粒子」という表現は特に、少なくとも一つの長軸を有し、１つ１つを例えば裸眼で確認できるような非球形粒子を含む。この表現はまた、例えばまつ毛を長くする、及び／又は特にカラー及び／又は光沢による審美的効果を発揮するように構成される繊維を含む。フレークは細長の粒子の別の例である。マイカ及び真珠貝も細長の粒子の他の例である。
【０００６】
「繊維」とは、物体の長さをＬ、直径をＤとした場合に、ＬがＤよりもずっと大きく、Ｄが繊維の断面が内接する円の直径となるような物体を指すと理解されたい。特に、比Ｌ／Ｄ（又は形状係数）は、３．５〜２，５００、詳細には５〜５００、更に詳細には５〜１５０に選択される。特に、繊維の長さは１μｍ〜１０ｍｍ、好適には０．１ｍｍ〜５ｍｍ、更に好適には０．３ｍｍ〜３ｍｍである。例えば、繊維は円形又は多角形の断面を有することができる。
繊維は本発明による組成物に、組成物の総重量に対して０．１〜１０重量％、好適には０．５〜５重量％に相当する量だけ含ませることができる。
【０００７】
製品は繊維のみ、フレークのみ、又はこれらの２つの混合物を含むことができる。製品は寸法の大きい方の平均が、例えば５０μｍ〜１．５ｍｍのフレークを含むことができる。製品は少なくとも０．２重量％のこれらの粒子、例えば繊維及び／又はフレークを含むことができる。製品は、まつ毛及び／又は眉毛に塗布されるように構成することができる。製品は、マスカラのようなケラチン繊維を覆う組成物とすることができ、その場合粒子がこの組成物に分散している。
【０００８】
繊維は、例えば剛性の繊維又は非剛性の繊維から選択することができる。繊維は、合成繊維又は自然繊維、無機繊維又は有機繊維とすることができる。一例として、非剛性繊維は、ポリアミド（ナイロン：登録商標）、セルロース（又はレーヨン）、ポリエチレンから成る繊維を含むことができる、又は高剛性の繊維は、市販されているようなポリイミド−アミド繊維、又はポリ−（ｐ−フェニレン−テレフタルアミド）（又はアラミド）を含むことができる。動物繊維、又は綿繊維又は亜麻繊維のような植物繊維、或いは合成繊維、特に熱可塑性ポリマーから製造されるか、又はガラスから製造される合成繊維を使用することが可能である。
【０００９】
好適には、製品は、包装器具をマイクロ波オーブン内部のマイクロ波照射に晒すことにより加熱する。これらの粒子の性質がこれらの粒子を含有する製品の性質と異なるとすると、これらの粒子の温度は製品の温度よりも速く上がる。従って、包装器具が製品を全て液体にするのに十分な時間に渡ってマイクロ波照射に晒されていなくても、これらの粒子の温度が高くなることにより、各粒子の近傍で少なくとも局所的に製品が液体化し得る。アプリケーターを使用して製品を塗布する場合、塗布される表面に対し、これら粒子を正しく方向付けることができる。粒子が製品全体に一様に分布している場合、製品はより短時間で加熱されて液体化される。
【００１０】
「マイクロ波オーブン」という用語は、他の用途として食物を加熱するために使用され、加熱対象物品を電磁エネルギーに晒すことができるチャンバーを含む従来のオーブンを指す。
赤外線照射源に晒すことにより加熱する場合と比べて、マイクロ波オーブンを使用すると、製品を収容する容器の壁の熱伝導特性に関係なく、温度を迅速に上昇させることができる。
【００１１】
従って製品は所望温度に迅速且つ容易に達することができ、そのために加熱部を包装器具に組み込む必要はない。製品塊の主要部分の温度は迅速に上がる。製品の温度が上昇することにより、製品に接触している容器の壁が次第に加熱される。製品はこのタイプの照射によって一様に加熱される。製品の加熱を利用し、必要に応じて繰り返す形で、製品を均質にすることもできる。温度上昇が一様になるという点からすると、製品の化学相分離は生じない。
【００１２】
製品の加熱を利用して、製品を、例えば塗布領域、例えばまつ毛、髪の毛、皮膚、又は粘膜の上に容易に広げる、又は保持する、或いは髪の毛のウェーブを綺麗にすることができる。特に、製品を加熱することにより、皮膚に及ぼす製品の特性を改善する、及び／又は毛を伸ばす、カールさせる、毛につやを持たせる、潤いを持たせる、柔らかくする、及び／又は皺取り効果を向上させることができる。加熱は芳香療法の点で効果的であり、塗布するアロマ及び芳香油の効果を高める。化粧製品を熱い状態で塗布すると、局所塗布の場合の皮膚にサウナ又はトルコ式風呂と同じ効果ももたらすことができる。化粧製品を熱い状態で塗布すると、製品の活性成分が皮膚、粘膜、又はケラチン繊維に浸透し易くなり、例えば血行を局所的に良くすることができる。
【００１３】
例えば、使用温度に応じて、製品は少なくとも２つのタイプの効果をもたらす。有利には、製品は、製品を熱い状態で、又は冷たい状態で、特に室温で塗布することができる特性を有する。例えば、冷たい状態で塗布する場合、製品をケラチン繊維に塗布することが濃い目のメイクアップの仕上げとなり、一方この製品を熱い状態でケラチン繊維に塗布すると、仕上げの効果が大きくなり、製品が繊維をより完全な形で覆うようになる。これにより、塗布のタイプ、すなわち所望のメイクアップ又はスキンケアに最適となるように製品の特性を合わせることができる。
【００１４】
例えば、製品を熱い状態で塗布すると相対的に薄い層が塗布されるので、薄めのメイクアップをすることができ、同じ製品を室温で塗布すると潤いが得られる。実際、製品が熱くなってより液状になると、少ない量の製品でさらに広い表面積を覆うことができ、従って製品を熱くすると軽いメイクアップの仕上がりが得られる。
同様に、粒子を含有する組成物が室温よりも熱くなってさらに液状となるだけで、組成物中に粒子が一様に分散する。更に、塗布の間、粒子が組成物の中で移動し易くなるので、これらの粒子をまつ毛、髪の毛、又は皮膚に更に一様に塗布することができる。
【００１５】
特に、製品がケラチン繊維を覆うように構成される組成物であり、流動性が低い、又は室温でペースト状になる場合、この組成物を「熱い状態」で、ブラシ又は櫛のようなアプリケーターを使用して前記ケラチン繊維に塗布すると、細長の粒子はこれらのケラチン繊維の上に堆積し易くなる。実際、組成物が加熱されて一層液状になると、細長の粒子はアプリケーターによって加えられる動きの方向に向き易くなる。すると、長軸を有する粒子はまつ毛の各々に沿って堆積するので、これらのまつ毛の直径が大きくなり、まつ毛を長くすることができる。
【００１６】
製品のレオロジー特性、特に粘度、表面張力、構造組成、及びチキソトロピー特性は必要に応じて温度によって変えることができる。従って加熱すると製品を取り出し易くなる。製品を加熱すると製品の粘度を低くすることができる。従って製品が広がり易くなる。好適には、組成物は熱可逆性を有し、加熱後には加熱前の特性とほぼ同じ特性に戻る。
例えば、少なくとも２つの成分、例えば２つの液体、又は粉末及び液体を用いて即席で手入れを行なう、例えば一即席で髪の手入れを行なう場合、加熱することで成分の混合、及び／又は一方の成分の他方の成分への溶解が速まる。
【００１７】
加熱を利用して容器の壁の上で乾いた製品を再度液化し、液化した製品を容器の底に流して器具を空にし易くすることもできる。
マイクロ波を利用した加熱により、容器内に保持される製品の細菌浄化、又は低温殺菌を行なうことができる。この低温殺菌は製品寿命中に複数回行なうことができる。この加熱は、防腐剤の含有量を少なくした製品の製造が可能であることを意味する。
好適には、製品は水、又はマイクロ波オーブンから放出される照射光を吸収し、且つマイクロ波に晒されると加熱される他の物質を含むことができる。
【００１８】
製品の温度を上げるためにマイクロ波を使用することに関連する更に別の利点は、マイクロ波を透過する熱絶縁体を包装器具に取り入れることができ、これによって使用中に熱を製品に保持することができ、及び／又は収容部に含まれる製品の温度よりも保持表面の温度を低くすることができることである。
製品はマイクロ波オーブンの中で、温度が例えば３０℃〜８０℃になるように加熱することができる。
【００１９】
製品をマイクロ波照射に晒す時間は、例えば１〜６０秒、好ましくは２〜５０秒、又は３〜２５秒であり、例えば約５秒である。製品の加熱は、幾つかの加熱段階に分割し、これらの段階の間に中断を挟むことができる。これらの中断により、製品の到達温度をチェックすることができる。
製品をマイクロ波照射に晒す時間は、特にオーブンの電力、容器の特性、初期温度及び最終到達温度に依存し、さらに加熱対象製品の量及び特性に依存する。器具は、例えばオーブンの電力に関する必要加熱時間を通知する表を含むことができる。
【００２０】
プロセスは、器具が一回きりの使用に設計されているかどうかによって、１回又は数回実行することができる。
【００２１】
器具は、マイクロ波照射への露出を増大させることができるような形状の容器を含んでよい。容器は、特に、マイクロ波オーブン内における好ましい容器の配置を示すマークを含むことができる。容器は、例えば、加熱用に配置するときの方が普通の使用時の配置よりも製品の高さが低くなるように構成される。製品の高さは、製品の底部と頂部との間で鉛直方向に測定する。加熱用の配置は、例えば、オーブンチャンバー内のマイクロ波領域の分布を水平にすることが可能な、製品を横倒しにした状態とすることができる。
別の構成として、加熱用の配置は立てた状態とすることができ、この位置は例えば包装器具用のスタンドを利用することにより可能であって、これにより、オーブン内のスペースの中央ゾーンに器具が配置することにより器具が最大の照射に晒される。スタンドは、例えばオーブン底面上に置くことができ、器具と合体させることにより、容器をオーブン底面から持ち上げることができる。
【００２２】
特に発泡体から作製されるアプリケーター先端、又はワイパー部材が取り付けられた容器の場合、これらの容器は、アプリケーター先端及び／又はワイパーがそれぞれ、マイクロ波照射を受けてその主要部分が加熱された製品と接触することにより加熱されるように構成されることが好ましい。閉じた状態の容器はマイクロ波オーブンの内部で「逆さまの状態」で配置される。
アプリケーター先端は、例えば熱可塑性材料を射出成形することにより作製された櫛、又はブラシから成る塗布要素を形成するように設計された剛毛の上に一体射出成形することにより作製されたブラシとすることができる。アプリケーター先端はフロック材料により構成することができる。好適には、アプリケーター先端は、マイクロ波オーブン内で加熱することが可能な材料から作製される。
【００２３】
容器は、容器を横倒しにした状態で安定に配置することができるように構成される壁、例えば円形横断面ではなく少なくとも一つの平坦面を提供するプリズム状の横断面を有する壁を含むことができる。
包装器具は、器具をマイクロ波オーブン内部に配置することができることを通知する注意書きを含むことができる。この注意書きは、例えば「マイクロ波先端技術」のような語句を含むことができる。
【００２４】
本発明の別の態様では、上述とは無関係に、又は上述に関連して、本発明は、アプリケーター、及びスキンケア製品を含む化粧製品を保持する容器を含む包装器具を提供することを別の目的とし、この製品は、細長の粒子を含み、器具はマイクロ波オーブンの中で加熱することができる。例えば、まずアプリケーターを取り外してから製品をマイクロ波照射に晒す。
【００２５】
例えば、アプリケーターは、製品の温度を高くする場合、特にアプリケーターがマイクロ波オーブンの中で加熱することができない場合にオーブンから取り出すことができる。反対に、可能である場合は、ここのような照射にアプリケーターを晒す目的でアプリケーターをマイクロ波オーブン内に配置することもでき、これにより例えばアプリケーターの表面温度を高くする、特にアプリケーター塗布面の温度を高くする。
好適には、器具は、製品の温度についての情報を提供するための少なくとも一つの表示部を含む。
【００２６】
包装器具又は外装用部品には、例えば包装器具をマイクロ波オーブンの中で加熱することができることを表示する。この種の表示部は、製品をマイクロ波オーブンから取り出すときの製品の温度を通知することにより、製品を所望の温度で正しく使用することを可能にし、特にユーザをやけどから保護することができる。
器具は、製品をマイクロ波オーブンの中で加熱することができるように設計されるので、有利には金属、例えば金属成分、又は金属又は導電コーティングを含まず、好適にはマイクロ波オーブンの中で使用することができる材料によってのみ作製される。マイクロ波オーブン内での加熱を行った後は、容器の外側温度は通常製品内部の温度よりも低い。
【００２７】
使用する表示部は、特に製品温度が少なくとも一つの事前設定値よりも高くなった場合にユーザに警告を発するように機能することができる。この表示部は、製品を保持する容器と一体化させることができる。器具が容器の閉鎖要素を含む場合、表示部はこの閉鎖要素と一体化させることができる。器具はアプリケーターを含むこともでき、表示部はこのアプリケーターと一体化させることができ、従って表示部は器具がマイクロ波オーブンの中に配置されている間製品と直接接触していることができる。器具が基部を嵌め込んだ容器を含む場合、表示部はこの基部と一体化させるか、又は基部によって容器上に保持される。基部は、例えば容器の上にパチンと閉めることにより、又は溶接接合により取り付ける。必要に応じて、表示部はスタンドに設けることもできる。
温度検出表示部は多種多様な方法により器具の上に配置することができる。表示部は包装器具の上に取り外し可能に、又は取り外し不能に固定することができる。表示部が取り外し可能である場合、表示部は、例えば容器の外周にスライド可能に保持され、且つサーモクロミック色素を含有するエラストマーリングの形を採る。表示部は、例えば少なくとも一つの可撓性支持体を含むことができ、この支持体は、例えば糊付け、又は溶接により器具の上に固定される。表示部は、例えば器具の壁、例えば容器の壁、又は容器の閉鎖要素に貼り付けられるパッド又は接着ラベルの形を採ることができる。
【００２８】
表示部は、サーモクロミック色素を含有するインクを使用して器具の上に印刷する、又はスクリーン印刷することにより作製することもできる。表示部は、サーモクロミック色素を、器具の少なくとも一部を構成する材料、例えば容器の少なくとも一部、容器の閉鎖要素の少なくとも一部、可能であれば嵌め込み基部の少なくとも一部、又はアプリケーターの少なくとも一部、例えば塗布要素、又は必要に応じて容器を閉じるように機能することができるハンドリング部品に塗布要素を接続するロッドの少なくとも一部を構成する材料に含ませることにより形成することもできる。
このようなサーモクロミック色素を取り入れた器具は、例えば２重射出成形により作製することができる。この場合、前記色素を含有する透視パネルを容器の壁に設けることができる。
【００２９】
表示部は、その外観が温度と共に変化する材料、例えば密封することができる構成のコレステリック液晶から成る材料、好適には、器具をマイクロ波オーブンの中に配置することができる材料を含むことができる。その外観が温度と共に変化する材料の例は、例えば特許文献５又は特許文献６を参照することができる。
温度検出表示部は、予め設定した遷移温度に達すると一の色から別の色に変化することにより、例えば外観、特にその色を、温度によって変化させることができる。表示部は温度に依存する透明特性を示すこともでき、或る温度に達すると透明又は不透明になることができる。好適には、表示部はその外観を温度に関して可逆的に変化させる、すなわち表示部は器具が元の温度に戻ると元の外観に戻る。表示部は温度の関数である色飽和効果を示すこともできる。
【００３０】
表示部は、遷移温度の観点から、且つ表示部が取り付けられる壁の厚さの観点から、可能であれば、この壁の熱慣性、熱伝達係数、熱抵抗、及び熱吸収率を考慮に入れた上で選択される。この場合、製品を加熱するのに望ましい温度よりも低い温度で状態を変える表示部を選択し、これによって表示部が製品と直接接触せず容器の壁により製品から分離されている場合に製品と表示部との間に存在する可能性のある温度差を許容することができる。
２種類の表示部が必要になる。まず所望されるのは、製品の到達温度が危険ではない、すなわち温度が第１温度Ｔｍａｘ又はＴ１、例えば約５０℃よりも低いと判断できる表示である。次に、加熱プロセスによって製品温度が効率的に上昇しているかどうかを知り、そして温度が実際に第２温度Ｔｈｏｔ又はＴ２、例えば約３０℃よりも高くなり、製品が確実に「熱い状態」で適用できることを確認することが望まれる。温度がＴｈｏｔとＴｍａｘとの間である場合、製品を「熱い状態」で使用するための正しい条件が確立されている。
【００３１】
第１の実施形態では、器具上に２つの独立した表示部を使用し、これらの表示部の各々は異なる遷移温度を有する。第１表示部は温度Ｔ１を超える時点を示す遷移温度を有し、第２表示部は温度Ｔ２を超える時点を示す遷移温度を有する。これらの遷移温度として選択される値は、表示部と製品との間の壁が熱抵抗を有するため、例えばＴ１及びＴ２よりも数℃低い。
第２の実施形態では、少なくとも２つの異なる厚さを有する器具の壁の上に一つの温度表示部を設ける。従って、この壁の厚さに関連付けられる熱抵抗を変化させることにより、同じ表示部の第１領域が変化しながら、且つ第２領域では変化しない状態を維持することが可能である。表示部の色が薄い壁領域においてのみ変化し、同じ表示部の厚い壁領域が変化しない状態を維持する場合、ユーザは容器を取り上げて製品を塗布することができる。好適には、壁が厚い領域が実際には相対的に冷たいので取っ手表面として機能する。この場合、確実に表示部を信頼性の高いものとするために、表示部が取り付けられる位置での容器の壁の厚さは高精度に制御する必要がある。
【００３２】
壁の厚さを変化させた容器を実現するために、例えば水平方向の隆起、垂直方向の隆起、又は螺旋状の隆起が容器の外縁から飛び出すようにする。変形例では、容器の横断面の内側の輪郭は円形であり、他方外側の輪郭は、内側の輪郭の円弧の中心と重なる中心を有する類似の円形以外であればどのような形とすることもできる。例えば、この同じ横断面の外側の輪郭縁は、離心円、卵形、三角形、矩形、又は他のタイプの多角形の形を採ることができる。
【００３３】
器具は、容器内に保持される製品を塗布するためのアプリケーターを含むこともできる。このアプリケーターはマイクロ波照射に晒されても、晒されなくてもよい。アプリケーターがこのような形で加熱することができない場合、アプリケーターは容器がマイクロ波照射に晒されている間、ホルダー内に配置される。例えば、このホルダーは、容器が加熱されていない間、保持位置にある容器に取り付けることができるように設計される。
このアプリケーターは、容器を閉じることが可能な栓と一体化することが好ましい。アプリケーターは栓と一体構造に成形することにより作製するか、又は栓に取り付け、一体成形又は糊付けにより正規の位置に保持することができる。
【００３４】
器具は、少なくとも一つの安全弁を含むことができ、これにより、誤って器具がマイクロ波照射に過度に長い時間に渡って晒された場合、器具内部に過度の圧力が生じることを防止する。
【００３５】
器具は飛散防止要素を含むこともでき、これにより、器具を開けたときに、製品の加熱により、例えば空気の膨張により生じる過度の圧力を受けて製品が放出する危険を小さくすることができる。この種の要素は、器具を開く前にユーザが作動させても作動させなくともよい。従って、一実施形態では、飛散防止要素は、容器を開ける前に、器の内部と外部との間の圧力を平衡させる目的でユーザにより押圧される部分を含む。
変形例として、飛散防止要素は、容器を開けるとき、又はアプリケーターを引き出すとき、自動的にその機能を実行する。この飛散防止要素には、特にアプリケーターを拭き取る機能を持たせることもできる。更に別の変形例では、開くと製品が放出される危険を小さくするために使用することができる部品をアプリケーターそのものとし、この場合、例えば製品が飛散する可能性のある箇所に飛散防護壁を設けることにより危険を小さくする。
【００３６】
器具は、容器が誤って引っくり返った場合、特に製品の流動性が温度と共に非常に高くなっている場合に、例えば製品がこぼれる危険を小さくするように機能する流量低減要素を含むこともできる。
【００３７】
上述とは無関係に、又は上述に関連して、本発明は、ボディケア製品を含むが脱毛ワックスは含まない化粧製品を保持する包装器具の販売を促進する方法を提供することを更に別の目的とする。この方法では、器具をマイクロ波オーブンの中に配置して製品の温度を上昇させることにより製品の特性、特にその流動性を変えることができることを認識させる。この製品は、例えばボディケア製品、又はファンデーション又はマスカラのようなメイクアップ製品である。
上述とは無関係に、又は上述に関連して、本発明は、化粧製品を保持する包装兼塗布器具の販売を促進する方法を提供することを更に別の目的とする。この方法では、製品を熱い状態と冷たい状態で使用することによって２つの異なるメイクアップ効果が得られることを認識させる。
【００３８】
製品の販売促進は、あらゆる通信チャネルを通じて行なうことができる。この販売促進は、ベンダーが販売地において直接、又はラジオ又はテレビを通じて、特に宣伝コマーシャルの形で実行することができる。販売促進はまた、プレス発表又は他の文書、特に宣伝目的の文書を利用して実行することができる。販売促進はまた、コンピュータネットワーク又は携帯電話ネットワークを通じて実行することができる。販売促進はまた、包装器具、その他の包装媒体の上で、或いは添付の取扱説明書の中で実行することができる。
【００３９】
本発明の別の態様に従い、上述とは無関係に、又は上述に関連して、本発明は、化粧製品用の包装器具を提供することを更に別の目的とし、この包装器具は、
−少なくとも一部が第１材料により作製される壁を有する容器と、
−容器の外側表面の少なくとも一部を画定し、且つ、例えば第１材料の熱伝導率よりも低い熱伝導率を有する第２材料により作製される熱絶縁体と、
−ボディケア製品を含み、容器内に保持される化粧製品と、を含む。
本発明の更に別の目的は、このような器具を、
−製品の温度を、好適には製品をマイクロ波オーブンの中に配置することにより高くするステップと、
−アプリケーターを使用して製品を塗布するステップと、
を含むプロセスに使用する方法である。
【００４０】
上述とは無関係に、又は上述に関連して、本発明の更に別の目的は、
−容器と、
−ボディケア製品を含み、且つ容器に保持される化粧製品と、
−塗布要素を備えるアプリケーターと、
−塗布要素が容器から取り出されるときに塗布要素を拭き取るように構成されるワイパー要素と
を備える器具を提供することにあり、アプリケーター及びワイパー部材は、容器内に過度の圧力が生じている場合に器具を開くと空気を逃がすように設計される。
本発明の更に別の目的は、このような器具を、
−製品の温度を、好適には製品をマイクロ波オーブンの中に配置することにより高くするステップと、
−製品を塗布するステップと
を含むプロセスに使用する方法である。
【００４１】
本発明の更に別の目的は、
−容器と、
−容器に保持される化粧製品と、
−少なくとも一部が熱の保持を可能にする熱容量を有する材料から作製されるアプリケーターと
を備える器具を、
−製品の温度を、好適には製品をマイクロ波オーブンの中に配置することにより高くするステップと、
−製品を塗布するステップと
を含むプロセスで使用する方法である。
所望の熱容量はセラミック又はプラスチック材料を使用することにより実現することができ、この場合、この材料は、高い割合、例えば６０重量％以上の割合で充填物、例えば無機物、特に金属又はセラミック、或いは、その深さよりも浅い位置にある製品を取り上げ、よって製品が熱を保持することが可能となる多孔質構造を含む。
【発明を実施するための最良の形態】
【００４２】
本発明は、本発明の非限定的実施形態に関する以下の詳細な記述、及び添付の図を参照することによって、一層理解される。
【実施例】
【００４３】
図１のブロック図は、本発明の第１の態様により化粧製品の温度を上げるために使用されるプロセスの異なる段階を示す。
【００４４】
このプロセスは、好ましくはアプリケーターが取り付けられた包装器具に化粧製品を供給する第１段階１０を含む。化粧製品は、特に小売店での販売、又は通信販売、或いは美容関連施設又は美容院を通すなど、あらゆる販売形態を通して入手することができる。
【００４５】
次いでプロセスは、製品をマイクロ波オーブンの中で加熱する段階２０を含む。包装器具はマイクロ波オーブンの中に配置するのに適しており、好適にはマイクロ波照射に晒されている間に壊れ易い、又は使用するオーブンを壊す可能性のある金属元素又は導電性元素を含まない。
マイクロ波照射の放出電力及び製品をこの照射に晒す時間は、到達目標とする温度及び包装器具の中身を考慮して選択される。好適には、マイクロ波オーブンの電力は、製品がマイクロ波照射に晒される時間が比較的短く、例えば２０秒未満、具体的には数秒であるように選択される。
【００４６】
次に包装器具をマイクロ波オーブンから取り出し、製品の塗布を行う段階３０を実行する。この塗布は、例えば製品を保持する容器に取り外し可能に取り付けられるアプリケーターを使用して、容器がマイクロ波オーブンの中に配置されているか、又は包装器具から分離されているときに行なうことができる。塗布は指などを使用して行なうこともできる。
【００４７】
製品Ｐは、例えばリップカラー、マスカラ、ファンデーション、又はスキンケア製品とすることができ、またこれらに限定されない。製品Ｐは、製品Ｐの中に分散した細長の粒子Ｆを含む。
特に熱を加えることができるように設計された製品は、ケラチン繊維を覆うことができる組成物である。
【００４８】
例えば、本発明による製品は次の組成を有する。
−みつろう                                  ６．００％
−パラフィンろう                          １３．００％
−水添ホホバ油                              ２．００％
−ヒドロキシエチルセルロース                ３．００％
−ステアリン酸トリエタノールアミン          ８．００％
−黒色色素                                  ５．００％
−ナイロン（登録商標）繊維                  ２．５０％
−防腐剤                                    ｑｓ
−水                                        ｑｓｐ      １００．００％
【００４９】
室温、すなわち２０℃では、製品は特性、特にこの温度での塗布、特に室温での液状の塗布が可能になるというレオロジー特性だけでなく、温度が例えば３０℃を超えたときの塗布も可能になるという他の特性を示す。
【００５０】
マイクロ波オーブン内での加熱時間の最後では、包装器具内部の製品の温度は５０℃、又は７０℃を超え得る。有利には、包装器具には温度検出表示部、特にその外観、例えば色が温度と共に変化する表示部が設けられる。この表示部は、例えば図２に示すように、容器の側壁４１に糊付けされるか、又は図３に示すように、容器の閉鎖要素４２に糊付けされるラベル又はパッド４０とすることができる。閉鎖要素４２はアプリケーターの把持部を構成し、アプリケーターの塗布要素は、容器を閉じた状態では容器の内部に保持される。
温度表示部は、サーモクロミック色素を、例えば容器の上部４５を形成するように設計された材料と混ぜ合わせることにより作製することもできる。図５に示す例では、温度表示部は、例えば温度と共に色が変化する材料から成る容器本体の壁を２重射出成形、又は共押し出し成形することにより作製される細片４７の形を採る。この細片は、細片が少なくとも或る温度で透明になる材料から作製される場合に透視パネルとしても機能する。
【００５１】
スクリーン印刷法を使用して、図６に示すように、例えば容器の側壁４１の上に細片４６を、又はサーモクロミック色素を含有するインクを使用した他のモチーフを貼り付けることもできる。
図２〜６に示す例では、表示部は外から眺めることができる。本発明の技術範囲は、表示部を、容器が閉じている場合に外から見えないが、塗布時、又はユーザが、例えば表示部を容器から引っ張り出すといった特殊な操作を実行すると見えるようになる形態を含む。
【００５２】
図７及び８は、製品Ｐを保持する容器、及び塗布要素１６０をロッド１６１の端部に取り付けたアプリケーターを有する器具を示し、ロッド１６１は、温度表示部１７０を挿入可能な収納空間１６２を含む。温度表示部はロッド１７１を含み、このロッドの端部１７２は、例えば温度によって色を変える。開口１６３は必要に応じてロッド１６１に設けることができ、これにより製品Ｐが温度表示部１７０と接触できる。本実施例では、ロッド１７１の上端が螺合部１７４に接続され、この螺合部はアプリケーターの把持要素１６５に螺合する。
【００５３】
図９及び１０に示すように、必要に応じて、温度表示部は、容器に過度の圧力が生じる場合の安全弁としても機能するように器具に取り付けることができる。
温度表示部のロッド１７１は、例えばＯリングシール１７６を有することができ、このシールによって、過度の圧力が生じていない場合に気密を確保する閉じ状態が実現する。窪み１７７がロッド１７１に設けられ、過度の圧力が生じる場合、Ｏリングシール１７６がこの窪み１７７に上に向かって押し込まれることによってシールが局部的に変形し、これにより圧力を受けた空気を外に逃がすことができる。
【００５４】
必要に応じて温度表示部の上側部分に開口１７８を設け、この開口を空気排出口とすることができる。
温度表示部は任意の公知の手段により作製することができ、特に公知のサーモクロミック色素、又は温度と共に変化し、且つ好適には製品を加熱するために包装器具をマイクロ波オーブンの中に配置することができる他の材料を使用して作製することができる。
【００５５】
本発明の別の態様によれば、包装器具は、図１１に示すように、熱絶縁体５０を含むことができ、この絶縁体は、例えば製品を保持する容器の側壁４１の一部を覆うことができる。この絶縁体５０は、例えば容器の側壁４１を作製するために使用する材料の熱伝導率よりも小さい熱伝導率を有する材料により作製されるスリーブの形を採ることができ、このスリーブは、容器上の環状溝に固定される。このような絶縁体５０によって、容器をマイクロ波オーブンから取り出すときで、製品の温度が例えば７０℃近傍になっているとき、容器を快適に掴むことができる。
絶縁体５０は、例えばポリウレタン発泡体又はポリエチレン発泡体により作製することができる。絶縁体はまた、例えば図１２に示すように、容器の側壁４１の少なくとも一部を覆うフロックコーティング６０など、別の形態にも作製することができる。絶縁体はまた、図１３に示すようなケース７０の形態に作製することができ、このケースは、例えば容器の挿入を可能にするグローブの指のような形を有する。絶縁体はまた、例えば図１４に示すように、例えば糊付けにより容器の側壁４１に取り付けられる細片８０又は他の要素の形態に作製することができる。容器はまた、図１５に示すように、フィン８５を設ける形で作製することができる。
【００５６】
本発明の別の態様によれば、包装器具は、製品の加熱により容器の内部に生じる過度の圧力の空気を容器が開くときに逃がし、同時に製品が飛び散ったり漏れたりする危険を小さくするように構成することができる。
【００５７】
器具を使用して製品を塗布し、且つ器具が図１６に示すように塗布要素９０を含むアプリケーターと、アプリケーターを容器から取り出すときに塗布要素を拭き取るワイパー要素９１を含む場合、ワイパー要素９１は、有利には、製品Ｐを加熱した後に容器内部に存在する過度の圧力の気体を容器が開くと徐々に逃がすことができるように設計される。
ワイパー要素９１は、例えば塗布要素９０が通過する通路を含む発泡体ブロックの形態であり、この通路は、少なくとも一つのスロット、例えば図１７に示す例では２つのスロット９２を有する。これらのスロット９２によって、加圧された空気を、閉鎖要素４２を十分に回して容器のネック４８との螺合を解くと逃がすことができ、製品が飛び散る危険が小さくなる。
【００５８】
図１６に示すように、塗布要素はフロック加工アプリケーターの形を採ることができ、このアプリケーターは、例えば表面をフロックコーティングしたエラストマー又はプラスチック本体を含む。アプリケーターは必ずしもフロックコーティングする必要はない。従って、アプリケーターは、例えばプラスチックを特定の形、特にまつ毛又は眉毛を梳くことができる形に成形することにより作製することができる。
図１８は櫛を形成する塗布要素９４を示しており、この櫛は、把持部に接続されるロッド９５の一端に固定され、この把持部も容器の閉鎖要素４２を構成する。
【００５９】
本実施例では、飛散防止ワイパー部材は、容器のネック４８に取り付けられ、且つその下端部に開口、例えば円形の拭取り縁４９が設けられるエラストマー部品の形を採る。
ロッド９５は溝９７を含むことができ、この溝によって、加圧された空気を容器が開くときに逃がすことができる。この溝９７は、環状、又はロッドの外周の一部にのみ延びるように形成することができる。
ワイパー部材には、図１９に示すように、複数の放射状スロット９９を設けることもでき、これらのスロットには、これらのスロットの間に、容器の内部において空気圧を受けると変形して空気を逃がすことができる領域１００が画定される。他の種々の手段を使用して、容器内に過度の圧力が生じる場合の製品の飛散の危険を小さくすることもできる。
【００６０】
図２０は、アプリケーターが、例えばボール１８０のような回転塗布要素を含む器具の一部を示している。このボール１８０によって、製品を塗布すると同時に、閉鎖キャップ（図示しない）を取り外したときに製品が飛散する危険を小さくすることができる。
回転塗布要素は、例えば図２１に示す発泡体アプリケーター１８１のような、容器に取り外し不能に取り付けられる非回転塗布要素に置き換えることができる。有孔壁８６を、図２２に示すように、例えば製品を保持する容器の空間８７と製品を取り出す開口８８との間に設けることもできる。必要に応じて、この壁８６は塗布要素８９の台座として機能できる。
【００６１】
一般的に、マイクロ波照射を使用して製品Ｐの温度を上げる場合、包装器具は金属元素を含まず、且つアプリケーターは金属を使用しないで作製される。従って、ブラシの使用が望ましい場合、アプリケーターは図２３に示すように、支持体１０４の上に一体成形される剛毛１０３により作製することができ、剛毛及び支持体は、例えば異なる熱可塑性材料により作製することができる。
【００６２】
本発明の別の態様によれば、塗布要素は、塗布要素上の製品が余りにも急激に冷却されることがないように、高い熱慣性率を有するように作製することができる。従って、図２４に示すように、例えば櫛のような塗布要素をプラスチック材料によって作製することができ、この場合、プラスチック材料は無機物又は他の充填物を高い割合で含んで大きな熱容量を有する。
従って、塗布要素は、青銅又は酸化アルミニウムのような化合物から成る充填物を含む熱可塑性材料又は熱硬化性材料を成形することにより作製することができる。特に、６０重量％が酸化アルミニウムで、残りの部分がポリアミド又はポリプロピレンである混合物を成形することにより塗布要素を作製することができる。更に別の非限定的実施例として、塗布要素は、４０重量％がポリプロピレンで、６０重量％がセラミックである混合物を成形することにより作製することもできる。
【００６３】
図２５は、まつ毛をカールさせるために使用される器具を示しており、この器具は、大きな熱容量を有し、且つまつ毛と接触してまつ毛をカールさせるように設計される部材１１０と、図示しない電気回路によってハンドル１１２に含まれる電源に接続される加熱部１１１と、そして加熱部１１１を稼動させるスイッチ１１３とを備える。この器具はサーモスタットシステムを含むことができ、このサーモスタットシステムは、部材１１０が十分に高い温度に達すると電流を遮断する機能を備える。このアプリケーター部材は貯蔵部から取り外すことができ、且つマイクロ波照射に晒されない。アプリケーター部材は製品を加熱した上で使用される。
部材１１０の熱慣性は、例えば充填プラスチックを使用することを考えると、かなり大きいことから、器具の消費電力を下げることができる。塗布要素の熱慣性は、塗布製品を内部に充填することができるアプリケーターを作製するための材料、例えば発泡体又は凝集体のような多孔質材料を使用することにより大きくすることもできる。
【００６４】
更に、有利には、容器がマイクロ波オーブン内部で転がることなく平らに横たわり、オーブン内部でマイクロ波の分布領域を最大に利用にできる形に容器を作製することができる。一例として、図２６は正方形の横断面を有し、且つその１辺を下にして横たわることができる容器を示している。この図に示すように、容器は、例えば容器をマイクロ波オーブンの中に配置する最も適切な方法を示す基準マーク１２０を含むことができる。容器はまた、マイクロ波オーブンの中に器具を配置することができることを示す注意書き１２１を含むことができる。
【００６５】
器具が間違ってマイクロ波オーブンが動作している間にオーブン内部に非常に長い間に渡って置かれた場合に製品及び空気を逃がすために、容器に安全弁を設けることができる。一例として、底部１４９に安全バルブを形成する栓１５０が設けられた容器の軸方向の部分断面図を図２７に示す。この栓１５０は、例えば底壁１４９の穴１５１に固定されるエラストマー製の栓により形成され、容器に過度の圧力が生じる場合に飛び出す。変形例として、安全弁は、図２８に示すように、底壁のくびれ１５４により形成することができる。過度の圧力が生じると、壁はくびれで破れる。
【００６６】
当然ながら、本発明は上に説明した実施例に限定されない。特に、種々の実施形態の異なる特徴は互いに組み合わせることができる。
請求の範囲を含む本明細書全体を通じて、「〜を含む」という表現は、特に断らない限り、「少なくとも〜を含む」と同義であると理解されたい。
【図面の簡単な説明】
【００６７】
【図１】本発明によるプロセスの一実施例の各段階を示すブロック図である。
【図２】温度検出表示部の特に実施可能な一実施形態を示す。
【図３】温度検出表示部の特に実施可能な別の実施形態を示す。
【図４】温度検出表示部の特に実施可能な更に別の実施形態を示す。
【図５】温度検出表示部の特に実施可能な更に別の実施形態を示す。
【図６】温度検出表示部の特に実施可能な更に別の実施形態を示す。
【図７】温度検出表示部の特に実施可能な更に別の実施形態を示す。
【図８】温度検出表示部の特に実施可能な更に別の実施形態を示す。
【図９】温度検出表示部の特に実施可能な更に別の実施形態を示す。
【図１０】温度検出表示部の特に実施可能な更に別の実施形態を示す。
【図１１】容器上の熱絶縁体の実施可能な一実施形態を示す。
【図１２】容器上の熱絶縁体の実施可能な別の実施形態を示す。
【図１３】容器上の熱絶縁体の実施可能なまた別の実施形態を示す。
【図１４】容器上の熱絶縁体の実施可能なまた別の実施形態を示す。
【図１５】容器上の熱絶縁体の実施可能なまた別の実施形態を示す。
【図１６】過度の圧力を逃がす飛散防止要素の一実施形態である。
【図１７】図１６の矢印ＸＶＩＩで示す飛散防止要素単独の底面図である。
【図１８】過度の圧力を逃がす手段の別の実施例を示す。
【図１９】過度の圧力を逃がす手段のまた別の実施例を示す。
【図２０】回転アプリケーターの一実施例の部分立面図である。
【図２１】容器と一体化した発泡体アプリケーターを含む器具の一実施例の部分立面図である。
【図２２】容器の閉鎖要素と一体化した塗布要素を含む器具の一実施例の縦方向の部分断面概略図である。
【図２３】一体成形される剛毛を単独で示す。
【図２４】大きな熱容量を有する材料により作製されるアプリケーターの一実施例を示す。
【図２５】まつ毛をカールさせるように設計され、且つ加熱部を備える器具の概略図である。
【図２６】安定に横たわる姿勢を可能にする形状を有する容器の一実施形態を示す。
【図２７】容器に過度の圧力が生じる場合に作動する安全手段を備えた容器の部分概略図である。
【図２８】容器に過度の圧力が生じる場合に作動する安全手段を備えた容器の部分概略図である。
【図２９】本発明による器具の縦断面図であり、貯蔵部は長さ方向に沿って変化する厚さを有する側壁４１を含む。
【図３０】ａ、ｂ及びｃは、本発明による器具の容器の部分模式図であり、器具の外縁には、長さ方向のリブ、水平方向のリブ、及び螺旋状のリブがそれぞれ設けられて側壁４１の厚さを局部的に変えている。
【図３１】ａ〜ｆは、本発明による器具の容器の横断面図であり、容器の側壁４１の厚さはこの断面平面の外縁に沿って変化する。
【図３２】本発明による器具の容器の横断面図であり、この器具は幅が変化する長さ方向のリブを有する側壁４１を含み、これらのリブは貯蔵部の円形内縁から放射状に延びる。
【図３３】本発明による器具を示し、この器具においては表示部がリング４００の形態で、貯蔵部４１のほぼシリンダー形の外縁にスライド可能に保持される。
【図３４】本発明による器具を示し、この器具においては表示部４０１がＵ字型で、器具の外縁を少なくとも部分的に包囲し、このＵ字の自由端が器具が横たわる平面に接する。従って、Ｕ字型表示部は器具を固定する機能も有し、この実施例では器具はほぼシリンダー形で表面に横たわる形で配置されている。
【図３５】本発明による器具を示し、この器具においては表示部がクリップ４０２の形態で、器具の外縁の周りを挟むように設計された第１部分と、器具が平行に横たわる面に接するように設計された第２部分を含む。従って、クリップ型の表示部は器具を固定する機能も有し、この実施例では、器具はほぼシリンダー形で表面に横たわる形で配置されており、また表示部は器具をこの表面から持ち上げる機能を有する。
【図３６】係合基部４０３及び貯蔵部を閉じるキャップに取り付けられたアプリケーターを備える本発明による器具の縦断面図を示す。係合基部はリークが生じないようにスナップ留めによりぴったりと、且つ少なくとも一つの表示部４０４を保持するように容器に取り付けられ、この実施例では、２つのドーナツ形表示部４０４及び４０５が基部４０３と貯蔵部４１との間に保持されている。
【図３７】本発明による器具の貯蔵部４１の縦断面図を示し、この貯蔵部は、ねじ込み式係合基部４０６を含み、この基部は表示部として機能するサーモクロミック色素を含有する材料により作製されている。
【図３８】係合基部４０７及び貯蔵部を閉じるキャップに取り付けられたアプリケーターを備える本発明による器具の縦断面図を示す。係合基部は、リークが生じないようにねじ込みによりぴったりと容器４１に取り付けられ、且つ２重射出成形することにより温度表示部を形成する少なくとも一つの部分４０８が設けられ、該部分は好ましくは基部の外側表面から見ることができる。
【図３９】覗きパネル４０９を備えた本発明による器具を示し、このパネルを通して貯蔵部に含まれる細長の粒子Ｆを含む製品Ｐを見ることができる。
【図４０】ａ、ｂ及びｃは、本発明によるプロセスの３つの連続する段階を示す。まず、貯蔵部を加熱している間、マイクロ波オーブン内で加熱されるように設計された容器Ｍを、アプリケーターＡを収納する別のホルダーＳから取り外す。このアプリケーターＡは容器Ｍ又はホルダーＳに同じように取り付けることができる。図４０ｂに示すようにして容器Ｍをマイクロ波オーブン内部で加熱した後、アプリケーターＡをホルダーＳから取り外して一定量の加熱製品を容器Ｍから取り出す。使用時以外には、図４０ａに示すように、容器Ｍは、アプリケーターＡを収納するホルダーＳと一体化することができる。
【図４１】マイクロ波オーブンのチャンバー３００の概略図を示しており、チャンバー内部には本発明による器具３０１が配置され、この器具は化粧製品を保持し、且つこの種類のオーブンの中で加熱することができる。例えば、チャンバー３００には回転テーブル３０２が設けられ、このテーブルの上に器具３０１が配置される。好適には、器具３０１は回転テーブル３０２の中央に配置する。図示された実施形態においては、器具３０１は回転テーブル３０２からスタンド３０３によって持ち上げられている。スタンド３０３によって、この器具３０１の容器３０４を回転テーブル３０２が形成する表面よりも高い位置に配置することができる。従って、容器３０４は、マイクロ波照射が相対的に大きいチャンバー３００の中央領域に配置することができる。
【図４２】本発明の第１の特定の実施形態を示し、スタンド３０３はスリーブの形を採り、このスリーブはその内壁３０５上にスタッド３０６を備える。例えば、スリーブは複数のスタッド３０６を含む。このスリーブは、この実施例では容器３０４の外側の周りに設けられるネジ山３０７と螺合する。例えば、器具３０１の閉鎖手段３０８は、スタッド３０６がどの程度までネジ山３０７と螺合しているかどうかに関係なくスリーブを超えて突出する。従って、オーブンの中に配置するとき、器具３０１をスタンド３０３よりも高い位置に容易に配置できる。別の構成として、スタッドを容器３０４の外側上に設け、同時にスリーブの内壁３０５にスタッドに対応するネジ山を設けることができる。
【図４３】本発明の第２の特定の実施形態を示し、スタンド３０３は、容器３０４に沿って移動することができる穴あきスリーブの形態である。
【図４４】本発明の別の特定の実施形態を示し、スタンド３０３は、器具３０１の主長軸Ｘに直交する軸を中心に回転する回転手段の形態である。特に、回転は容器３０４の高さで行なわれる。例えば、スタンド３０３を使用することにより、回転テーブル３０２の表面上に横倒しの姿勢で、且つ表面から持ち上げられた位置に器具を配置することができる。従って軸Ｘはこの表面に平行である。回転手段の一変形例は、軸Ｘを回転テーブル３０２の表面に対して直交するように保持し、同時に貯蔵部をこの表面から持ち上げることができる。
【符号の説明】
【００６８】
４０，４５，４６，４７，１７０    温度表示部
４１    容器の側壁
４２    閉鎖要素
４８    容器のネック
４９，９１    ワイパー要素
５０，６０，７０，８０    絶縁体
８６    有孔壁
８７    容器内の空間
８８    容器の開口
８９，９０，９４，１６０    塗布要素
９２，９９    ワイパー要素のスロット
９５，１６１，１７１    ロッド
９７    ロッドの溝
１００    ワイパー要素の変形領域
１０３    剛毛
１０４    支持体
１１０    カール形成部材
１１１    加熱部
１１２    ハンドル
１１３    スイッチ
１２０    基準マーク
１２１    注意書き
１４９    容器の底部
１５０，１５４，１７６，１７７    安全弁的要素
１６２    収納空間
１６３    ロッドの開口
１６５    閉鎖兼把持要素
１７２    ロッドの端部
１７４    螺合部
１８０    回転塗布要素
１８１    非回転塗布要素
Ｐ    製品
【図１】
2005319300.tif 000003
【図２】
2005319300.tif 000004
【図３】
2005319300.tif 000005
【図４】
2005319300.tif 000006
【図５】
2005319300.tif 000007
【図６】
2005319300.tif 000008
【図７】
2005319300.tif 000009
【図８】
2005319300.tif 000010
【図９】
2005319300.tif 000011
【図１０】
2005319300.tif 000012
【図１１】
2005319300.tif 000013
【図１２】
2005319300.tif 000014
【図１３】
2005319300.tif 000015
【図１４】
2005319300.tif 000016
【図１５】
2005319300.tif 000017
【図１６】
2005319300.tif 000018
【図１７】
2005319300.tif 000019
【図１８】
2005319300.tif 000020
【図１９】
2005319300.tif 000021
【図２０】
2005319300.tif 000022
【図２１】
2005319300.tif 000023
【図２２】
2005319300.tif 000024
【図２３】
2005319300.tif 000025
【図２４】
2005319300.tif 000026
【図２５】
2005319300.tif 000027
【図２６】
2005319300.tif 000028
【図２７】
2005319300.tif 000029
【図２８】
2005319300.tif 000030
【図２９】
2005319300.tif 000031
【図３０】
2005319300.tif 000032
【図３１】
2005319300.tif 000033
【図３２】
2005319300.tif 000034
【図３３】
2005319300.tif 000035
【図３４】
2005319300.tif 000036
【図３５】
2005319300.tif 000037
【図３６】
2005319300.tif 000038
【図３７】
2005319300.tif 000039
【図３８】
2005319300.tif 000040
【図３９】
2005319300.tif 000041
【図４０】
2005319300.tif 000042
【図４１】
2005319300.tif 000043
【図４２】
2005319300.tif 000044
【図４３】
2005319300.tif 000045
【図４４】
2005319300.tif 000046
【外国語明細書】
2005319300000001.pdf
2005319300000002.pdf
2005319300000003.pdf
2005319300000004.pdf